(57)【要約】【課題】開かれた状態を保持でき操作が簡単かつ速いフォルダを提供する。【解決手段】本発明のフォルダは、底板（１）と、捻じりバネ（２）と、フックラック（３：ＦＲ）とを含む。前記ＦＲは、前記捻じりバネを介して底板に回転可能に取り付けられる。前記ＦＲの両端の間に締め付け調節装置が設置される。前記締め付け調節装置は、プッシュブロック（４１：ＰＢ）を有する軸部材（４）と、ハンドル（５）と、弾性部材（６）とを含む。前記軸部材はＦＲに固定され、前記ＦＲは、前記軸部材を回転させる。前記ハンドルは可動状態で底板に取り付けられ、前記軸部材はハンドルに隣接して配置される。前記弾性部材の両端はそれぞれハンドルと底板に支持される。前記ＦＲが開かれると、前記軸部材は回転し、前記軸部材のＰＢがハンドルの下に噛付くまで、前記ＰＢはハンドル５を押し開き、前記ハンドルは、前記弾性部材の作用よりリセットされ、前記ＰＢを押し止めて前記ＦＲを開いた状態に保持する。【選択図】図１
2016503351.tif 000002
【特許請求の範囲】
【請求項１】
底板（１）と、捻じりバネ（２）と、フックラック（３）とを含むフォルダにおいて、
前記フックラック（３）は、前記捻じりバネ（２）を介して底板（１）に回転可能に取り付けられ、前記フックラック（３）の両端の間に締め付け調節装置が設置され、前記締め付け調節装置は、プッシュブロック（４１）を有する軸部材（４）と、ハンドル（５）と、弾性部材（６）とを含み、前記軸部材（４）はフックラック（３）に固定され、前記フックラック（３）は、前記軸部材（４）を回転させるように、動き、前記ハンドル（５）は可動状態で底板（１）に取り付けられ、前記軸部材（４）はハンドル（５）に隣接して配置され、前記弾性部材（６）の両端はそれぞれハンドル（５）と底板（１）に支持され、前記フックラック（３）が開かれる即ち持ち上げられると、前記軸部材（４）は回転し、前記軸部材（４）のプッシュブロック（４１）がハンドル（５）の下に噛付くまで、前記プッシュブロック（４１）はハンドル５を押し開き、前記ハンドル（５）は、前記弾性部材（６）の作用よりリセットされ、前記プッシュブロック（４１）を押し止めて、前記フックラック（３）を開いた状態に保持する。
ことを特徴とするフォルダ。
【請求項２】
前記底板（１）は、前記フックラック（３）と合わせて締め付けを行う固定部（１１）と、前記固定部（１１）から延伸するように形成される取付溝（１２）とを含み、前記捻じりバネ（２）が取付溝（１２）に嵌めて取り付けられる。
ことを特徴とする請求項１に記載のフォルダ。
【請求項３】
前記固定部（１１）にはさらに延伸するように当接部（１３）が形成され、前記弾性部材（６）は、前記当接部（１３）に支持される
ことを特徴とする請求項２に記載のフォルダ。
【請求項４】
前記ハンドル（５）に取付穴（５１）が形成され、前記底板（１）には、前記当接部（１３）から延伸するように連結孔（１３１）が形成され、前記取付穴（５１）と連結孔（１３１）を貫くように、ラッチ（７）が配置される
ことを特徴とする請求項３に記載のフォルダ。
【請求項５】
前記ハンドル（５）は、両側部にクロー（５２）が形成され、前記２つのクロー（５２）が、それぞれ取付溝（１２）と軸部材（４）との間の隙間に収容される。
ことを特徴とする請求項２に記載のフォルダ。
【請求項６】
前記固定部（１１）には、外部部材に固定するための固定孔（１１１）が形成される
ことを特徴とする請求項２に記載のフォルダ。
【請求項７】
前記フックラック（３）の端部にフィクスチャーブロック（３１）が設置され、前記軸部材（４）の端部に前記フィクスチャーブロック（３１）とマッチする差し込み口（４２）が設置される
ことを特徴とする請求項１に記載のフォルダ。
【請求項８】
前記ハンドル（５）の外向きの一端は操作部であって、前記操作部に滑り止めパターンが形成されている
ことを特徴とする請求項１に記載のフォルダ。
【請求項９】
前記弾性部材は圧縮バネ（６）であって、前記ハンドル（５）の底板に向ける一端に固定用溝穴（５４）が設定され、前記圧縮バネ（６）の一端は固定用溝穴（５４）に当接し、他端は当接部（１３）に当接する
ことを特徴とする請求項３に記載のフォルダ。
【請求項１０】
前記弾性部材（６）は前記ハンドル（５）と一体に形成されたクリップ（８）であって、前記クリップ（８）は当接部（１３）に当接する
ことを特徴とする請求項３に記載のフォルダ。
【発明の詳細な説明】
【技術分野】
【０００１】
本発明はオフィス用品技術分野に関し特にフォルダに関する。
【背景技術】
【０００２】
従来技術において、各種類の家庭用、オフィス用のフォルダがある。多数のフォルダは外力よりフォルダの締め付け装置を押し付けた後で開けて、外力は消えるとフォルダが締め付け状態になる。締め付け動作は頻繁である時、頻繁に締め付け装置を押し付ける必要があって、利用者の力を消耗させ、且つ仕事の効率に悪影響を与える。
【発明の概要】
【発明が解決しようとする課題】
【０００３】
本発明は開かれた状態を保持でき、操作は簡単かつ速いフォルダを提供する。
【課題を解決するための手段】
【０００４】
前記技術的課題を解決するために、本発明のフォルダは、底板と、捻じりバネと、フックラックとを含む。前記フックラックは、前記捻じりバネを介して底板に回転可能に取り付けられ、前記フックラックの両端の間に締め付け調節装置が設置され、前記締め付け調節装置は、プッシュブロックを有する軸部材と、ハンドルと、弾性部材とを含み、前記軸部材はフックラックに固定され、前記フックラックは、前記軸部材を回転させるように、動き、前記ハンドルは可動状態で底板に取り付けられ、前記軸部材はハンドルに隣接して配置され、前記弾性部材の両端はそれぞれハンドルと底板に支持され、前記フックラックが開かれる即ち持ち上げられると、前記軸部材は回転し、前記軸部材のプッシュブロックがハンドルの下に噛付くまで、前記プッシュブロックはハンドル５を押し開き、前記ハンドルは、前記弾性部材の作用よりリセットされ、前記プッシュブロックを押し止めて、前記フックラックを開いた状態に保持する。
好ましいのは、前記底板は、前記フックラックと合わせて締め付けを行う固定部と、前記固定部から延伸するように形成される取付溝とを含み、前記捻じりバネが取付溝に嵌めて取り付けられる。
好ましいのは、前記固定部にはさらに延伸するように当接部が形成され、前記弾性部材は、前記底板の当接部に支持される。
好ましいのは、前記ハンドルに取付穴が形成され、前記底板には、前記当接部から延伸するように連結孔が形成され、前記取付穴と連結孔を貫くように、ラッチが配置される。
好ましいのは、前記ハンドルは、両側部にクローが形成され、前記２つのクローが、それぞれ取付溝と軸部材との間の隙間に収容される。
好ましいのは、前記固定部には外部部材に固定するための固定孔が形成される。
好ましいのは、前記フックラックの端部にフィクスチャーブロックが設置され、前記軸部材の端部に前記フィクスチャーブロックとマッチする差し込み口が設置される。
好ましいのは、前記ハンドルの外向きの一端は操作部であって、前記操作部に滑り止めパターンが形成されている。
好ましいのは、前記弾性部材は圧縮バネであって、前記ハンドルの底板に向ける一端に固定用溝穴が設定され、前記圧縮バネの一端は固定用溝穴に当接し、他端は当接部に当接する。
好ましいのは、前記弾性部材は前記ハンドルと一体に形成されたクリップであって、前記クリップは当接部に当接する。
【発明の効果】
【０００５】
底板と、捻じりバネと、フックラックとを含むフォルダにおいて、前記フックラックは、前記捻じりバネを介して底板に回転可能に取り付けられ、前記フックラックの両端の間に締め付け調節装置が設置され、前記締め付け調節装置は、プッシュブロックを有する軸部材と、ハンドルと、弾性部材とを含み、前記軸部材はフックラックに固定され、前記フックラックは、前記軸部材を回転させるように、動き、前記ハンドルは可動状態で底板に取り付けられ、前記軸部材はハンドルに隣接して配置され、前記弾性部材の両端はそれぞれハンドルと底板に支持され、前記フックラックが開かれる即ち持ち上げられると、前記軸部材は回転し、前記軸部材のプッシュブロックがハンドルの下に噛付くまで、前記プッシュブロックはハンドル５を押し開き、前記ハンドルは、前記弾性部材の作用よりリセットされ、前記プッシュブロックを押し止めて、前記フックラックを開いた状態に保持する。
かくして、利用者はハンドルを押し付けるだけで、ハンドルのプッシュブロックを抑圧する部分はプッシュブロックから離れて、プッシュブロックの受ける抑圧力を消え、フォルダが締めて、操作は簡単かつ速い。
【図面の簡単な説明】
【０００６】
【図１】本発明の第１実施例のフックラックが開かれた状態の斜視図である。
【図２】本発明の第１実施例のフックラックが閉じられた状態の斜視図である。
【図３】本発明の第１実施例の分解斜視図である。
【図４】本発明の第１実施例のハンドルの斜視図である。
【図５】本発明の第１実施例のフックラックが開かれた状態の他の視点から見た斜視図である。
【図６】本発明の第２実施例のフックラックが開かれた状態の斜視図である。
【発明を実施するための形態】
【０００７】
本発明の第１実施例を図１−図３を参考して以下説明する。本発明のフォルダは、底板１と、捻じりバネ２と、フックラック３とを含む。フックラック３は、捻じりバネ２を介して底板１に回転可能に取り付けられる。フックラック３の両端の間に締め付け調節装置が設置される。この締め付け調節装置は、プッシュブロック４１を有する軸部材４と、ハンドル５と、弾性部材６とを含む。軸部材４はフックラック３に固定される。フックラック３は、軸部材４を回転させるように、動く。ハンドル５は可動状態で底板１に取り付けられる。軸部材４はハンドル５に隣接して配置される。弾性部材６の両端はそれぞれハンドル５と底板１に支持される。フックラック３が開かれる（持ち上げられる）と、軸部材４は回転し、軸部材４のプッシュブロック４１がハンドル５の下に噛付くまで、プッシュブロック４１はハンドル５を押し開く。さらにハンドル５は、弾性部材６の作用よりリセットされ、プッシュブロック４１を押し止めて、フックラック３を開いた状態に保持する。
【０００８】
図５と図６が、弾性部材６の両端が、それぞれにハンドル５と底板１とに当接する又は接続される状態を示す。第１実施例において、弾性部材６は圧縮バネである。図１と図２において、ハンドル５を押す時に省力化して、プッシュブロック４１は、ハンドル５と合わさって開かれた状態を保持する為に、ハンドル５には、プッシュブロック４１に対応する位置に切れ目が形成される。閉じられた状態で、プッシュブロック４１はハンドル５の切れ目内に収容される。フックラック３が開かれる過程においては、軸部材４は回転し、プッシュブロック４１は、圧縮バネ６の力に打ち勝って、プッシュブロック４１は、ハンドル５の切れ目に入る。最後にハンドル５の下に噛付くまで押し開けられる。すると、ハンドル５は圧縮バネ６の力よりリセットされる。さらに、ハンドル５は、プッシュブロック４１を押し止めて、開かれた状態に保持する。
【０００９】
図１において、好ましい実施形態ではプッシュブロック４１は正方形である。正方形のプッシュブロック４１は、三角形の場合と比較して、破断しずらい。軸部材４の回転時、プッシュブロック４１はより大きいプッシュ面でハンドル５に押し付けられる。
【００１０】
図１―図３において、フックラック３は、両端が揃い左右対称に半円形状に形成される。締め付け調節装置は、フックラック３の両端の間に設置される。フックラック３を開ける力は、平均的に締め付け調節装置へと与えられる。フックラック３を開ける操作を、より便利にし安全にするために、フックラック３と底板１の間のある部分で隙間が残され、利用者は、この隙間を利用して、フックラック３を引き、開けることができる。
【００１１】
図１―図３において、底板１は、フックラック３と合わせて締め付けを行う固定部１１と、固定部１１から延伸するように形成される取付溝１２とを含む。捻じりバネ２が取付溝１２に嵌めて取り付けられる。この構成により、捻じりバネ２を外部から隔離させ（保護し）、捻じりバネ２が使用中に、利用者の指を突き刺す又は外力より強制的に捻じりバネ２を引き開くことを回避できる。捻じりバネ２の一端はフックラック３にリベット締めされ、他端は取付溝１２の溝壁に当接して捻じりバネ２により大きい支持力を与える。
【００１２】
図３において、固定部１１にはさらに延伸するように当接部１３が形成される。前記弾性部材６は、底板１の一端に支持される、具体的には当接部１３に支持される。当接部１３が、固定部１１の取付溝１２が設置された側の中部から延伸し、固定部１１から突出して、固定部１１と同一面になる。当接部１３は、外側の縁部が円滑に形成される。鋭い縁部が接触物を切り裂けることを回避するためである。
【００１３】
図３と図４を参考すると、ハンドル５に取付穴５１が形成される。底板１には、当接部１３から延伸するように連結孔１３１が形成される。取付穴５１と連結孔１３１を貫くように、ラッチ７が配置される。ラッチ７はハンドル５を当接部１３に固定させる。図３を参考すると、連結孔１３１が打ち抜きより形成され、当接部１３の打ち抜かれた部分が貫通孔１３２を形成する、貫通孔１３２を利用してフォルダを外部と固定できる。例えば釘にかけることができる。
【００１４】
図１−図３を参考すると、前記ハンドル５は、両側部にクロー５２が形成され、２つのクロー５２が、それぞれ取付溝１２と軸部材４との間の隙間に収容される。軸部材４の組み立てを容易にするために、２つの取付溝１２の間隔は軸部材４の長さより長い。クロー５２の一端は取付溝１２に支持され、他端は軸部材４を支持する。かくして、軸部材４が取付溝１２の隙間内にフィクスチャーブロック３１を沿って横移動することを阻止する。同時にフォルダの外観をより綺麗に見せる。図１−図３を参考すると、固定部１１には外部部材に固定するための固定孔１１１が形成される。かくして固定孔１１１よりテーブル又は別の物体に固定できる。
【００１５】
図３において、フックラック３の端部にフィクスチャーブロック３１が設置される。前記軸部材４の端部にフィクスチャーブロック３１とマッチする差し込み口４２が設置される。好ましくは、フィクスチャーブロック３１及び差し込み口４２は多角形である。両者を組み合わせた後は、軸部材４はフックラック３に従って回転できる。
【００１６】
図４において、ハンドル５の外向きの一端は操作部（図示せず）である。本実施例において、軸部材４から離れる一端は外向きである。操作部に滑り止めパターン５３が形成されている。滑り止めパターン５３はハンドル５表面から突起している。この突起は、直線、波線、文字が含まれるが、それらに限定されない。
【００１７】
図５を参考する。操作部の底板１向きの一端に固定用溝穴５４が形成される。圧縮バネ６の一端は固定用溝穴５４の中に当接し、他端は当接部１３に当接する。好ましい実施形態では、固定用溝穴５４がハンドル５の操作部に設置され、締め付け調節装置を押し付ける力が、固定用溝穴５４の中にセットされる圧縮バネ６まで伝わる。
【００１８】
第２実施例が第１実施例と異なる特徴は、弾性部材が、ハンドル５と一体に形成されるクリップ８であって、クリップ８は当接部１３に配置される。図６を参考すると、クリップ８の側面が底板１と接触して。ハンドル５を押し付けた後で、クリップ８は底板１に当接して弾性力を生成する。第２実施例のその他の特徴は第１実施例と同じで、ここで重複して説明しない。本発明のフォルダは、底板１の表面は錆処理が行われて、ハンドル５は強度の大きいプラスチック材料製が好ましい。フォルダを閉じる正確な操作は操作部を押し付けることであるが、誤操作の場合でも、例えば、開かれた状態のフックラック３を押し付けても、フォルダが閉じて、フォルダが破壊することはない。
【００１９】
前記内容は本発明好ましい実施例に過ぎない、本分野の普通の技術者に対して、本発明の発想に基づいて、具体的な実施形態及び応用範囲に変更があって、本説明書は本発明を制限するものではないと理解すべきである。
【符号の説明】
【００２０】
底板１、固定部―１１、固定孔―１１１、取付溝―１２、当接部―１３、連結孔―１３１、貫通孔―１３２、捻じりバネ―２、フックラック―３、フィクスチャーブロック―３１、軸部材−４、プッシュブロック―４１、差し込み口―４２、ハンドル―５、取付穴――５１、クロー―５２、滑り止めパターン―５３、固定用溝穴５４、圧縮バネ―６、ラッチ―７、クリップ―８である。
【図１】
2016503351.tif 000003
【図２】
2016503351.tif 000004
【図３】
2016503351.tif 000005
【図４】
2016503351.tif 000006
【図５】
2016503351.tif 000007
【図６】
2016503351.tif 000008
【国際調査報告】
2016503351.tif 000009
2016503351.tif 000010
2016503351.tif 000011
2016503351.tif 000012
2016503351.tif 000013